(57)【特許請求の範囲】
【請求項１】
略方形筒断面形状の支柱と、この支柱に対し高さ方向に沿ってスライド自在に取り付けられるコーナブラケットと、コーナブラケットの左右方向内向きに突出する支持部に取り付けられる横フレームと、コーナブラケットの前後方向内向きに突出する支持部に取り付けられる縦フレームとを備えたエアコン置台であって、
前記コーナブラケットは、支柱をスライド自在に挿入するようにその内面の断面形状が支柱の外面の断面形状に略一致するように形成された所定高さの環状壁部を有し、
この環状壁部及び前記支柱は、エアコン置台の外側面を成す二つの外側の壁部と、この外側面から内向きに延びる二つの内側の壁部と、二つの外側の壁部が交差する角部を連結する曲面状の壁部とを備えた略方形筒断面形状であり、
前記環状壁部は、前記二つの内側の壁部の一方に、高さ方向に所定幅のスリットが形成されたスリット部とこのスリット部の間隔を維持するように対向して略直交状に突出する一対の締結片とが形成されるとともに、この一対の締結片に、一対の締結片間の間隔寸法を狭めるように締め付ける締結部材が架け渡され、この締結部材を締め付けることにより支柱に固定されるように構成され、
また、前記一対の締結片は、エアコン置台の横フレーム又は縦フレームを取り付ける一方の支持部に兼用され、
前記縦フレーム又は横フレームは、その側壁の内面が前記一対の締結片のうちの外側の締結片の外側壁面に当接されるとともに、この側壁の端面が前記環状壁部の内側の壁部に当接されるように、前記締結片間を締め付ける締結部材により共締めされて前記締結片に取り付けられ、
さらに、前記一対の締結辺のうちの前記外側の締結片の突出させる位置が、縦フレーム又は横フレームの側壁の端面が前記外側の壁部と内側の壁部とが連結される角部近傍に当接するように、設定されている
ことを特徴とするエアコン置台。
【請求項２】
前記一対の締結片のうちの外側の締結片は、その外側壁面が前記外側の壁面の外側面から、縦フレーム又は横フレームの側壁の肉厚に相当する寸法と前記環状壁部における外側の壁部と内側の壁部との角部のＲに相当する寸法とを加算した寸法に略等しい寸法分内側に位置するように構成されていることを特徴とする請求項１記載のエアコン置台。
【請求項３】
前記コーナブラケットは、前記環状壁部に、左右内向きに突出する横フレーム取付用の支持部と、前後内向きに突出する前記締結片とを有するとともに、この締結片が縦フレーム取付用の支持部を兼用し、
前記縦フレームは、上壁、側壁及び下壁からなる断面コの字状に形成されるとともに、この縦フレームの側壁の内面が前記締結片の外側壁面に当接され、さらに、縦フレームの側壁が前記締結片を締め付けるための締結部材により共締めされて固定されていることを特徴とする請求項１又は２に記載のエアコン置台。
【請求項４】
前記横フレームは、左右全長に渡る筒状部を有し、前記支持部はこの筒状部内に差し込まれて取り付けられていることを特徴とする請求項３記載のエアコン置台。
【請求項５】
前記支持部のうちの前記締結片に兼用されない方の支持部は、この支持部の外側壁面が、前記外側の壁面の外側面から、縦フレーム又は横フレームの側壁の肉厚に相当する寸法と前記環状壁部における外側の壁部と内側の壁部との角部のＲに相当する寸法とを加算した寸法に略等しい寸法分内側に位置し、
前記縦フレーム又は横フレームは、その側壁の内面がこの支持部の外側面に当接するとともに、縦フレーム又は横フレームの側壁の端面が前記環状壁部の内側の壁部に当接するように取り付けられていることを特徴とする請求項１〜４の何れか１項に記載のエアコン置台。
【請求項６】
前記支柱は、左右外側面に上下方向に所定の間隔で形成された位置決め用タッピングねじの下孔又は位置決め用ねじのねじ孔を有し、
前記コーナブラケットは、左右外側の壁部に位置決め用タッピングねじ又は位置決め用ねじを貫通させる貫通孔を有することを特徴とする請求項１〜５の何れか１項に記載のエアコン置台。
【請求項７】
前記コーナブラケットは、左右外側の壁部に位置決め用タッピングねじの下孔を有することを特徴とする請求項１〜６の何れか１項に記載のエアコン置台。
【請求項８】
前記コーナブラケットは、前記支柱に対し高さ方向の複数位置に取り付けられ、前記横フレーム及び縦フレームが複数段に取り付けられている
ことを特徴とする請求項１〜７の何れか１項に記載のエアコン置台。
【請求項９】
前記支柱の上端部には、支柱の上端端面を覆うキャップが取り付けられ、このキャップは支柱内部に嵌入される嵌入部と、支柱の端面を覆う天面壁部とから構成されていることを特徴とする請求項１〜８の何れか１項に記載のエアコン置台。
【請求項１０】
前記支柱、コーナブラケット、横フレーム及び縦フレームは、アルミニウム又はアルミニウム合金製の押出成型された型材から形成され、基本形状が押出方向に同一断面形状となるように形成されていることを特徴とする請求項１〜９の何れか１項に記載のエアコン置台。
【発明の詳細な説明】
【技術分野】
【０００１】
本発明は、エアコン置台に関し、特に、支柱の高さ方向に沿ってコーナブラケットがスライド自在に支持されるとともに、このコーナブラケットに対し横フレーム及び縦フレームが取り付けられているエアコン置台に関する。
【背景技術】
【０００２】
エアコンの室外機は、通常、所定位置に載置支持する場合にエアコン置台が用いられている。また、最近のエアコン置台は、軽量化や見栄え向上の観点からアルミニウム又はアルミニウム合金製の押出型材が用いられる傾向にある。このようなエアコン置台は、四隅に立設された支柱に対し、コーナブラケットが高さ位置調節自在に取り付けられ、このコーナブラケットに対して横フレーム及び縦フレームが取り付けられるように構成されている。上記エアコン置台の一例として特許文献１を挙げることができる。このエアコン置台を図１１〜図１３に示す。
【０００３】
図１１〜図１３に示すエアコン置台は、四隅に立設された４本の支柱１００に対し継手部材（コーナブラケット）１１０が高さ方向にスライド自在に取り付けられ、この継手部材１１０に対し前後一対の横フレーム１２０と左右一対の縦フレーム１３０とが取り付けられている。また、前後一対の横フレーム１２０間にはエアコンを載置するための左右一対のベースフレーム１４０が適宜の間隔に配置されて架け渡されている。この間隔はエアコンの大きさに対応して変更される。さらに、支柱１００の下方部には設置面の傾斜や凹凸に対する高さ調整のためのアジャスタ１５０が取り付けられている。
【０００４】
またこれら部品のうちアジャスタ１５０を除く支柱１００、継手部材１１０、横フレーム１２０、縦フレーム１３０及びベースフレーム１４０が、それぞれアルミニウム又はアルミニウム合金製の押出型材により形成されている。
【０００５】
支柱１００は、略方形筒断面形に形成されたものであって、外面となる二つの側面１０１を有するとともに、この二つの側面１０１が交差するコーナ部が略円弧状の曲面１０２に形成され、さらに、上記外面以外の内向きの二つの側面１０３には、高さ方向に延びる継手用溝部１０４がそれぞれ形成されている。継手用溝部１０４は、平面視略Ｔ字状の内部空間を備えている。また、内向きの二つの側面１０３間のコーナ部分は、平坦な斜め内向き固定面１０５として形成されている。そして、各側面１０３と固定面１０５とにより支柱１００内にホルダガイド溝部１０６が形成されるとともに、このホルダガイド溝部１０６によりホルダ体１０７が保持されている（図１３参照）。また、このホルダ体１０７には、継手部材１１０を固定する六角穴付きボルト１０８に締結されるナット１０８ａが保持され、固定面１０５には六角穴付きボルト１０８を挿通するためのボルト挿通孔１０８ｂが高さ方向に所定の間隔で複数形成されている。
【０００６】
継手部材１１０は、図１２に示すように、支柱１００の固定面１０５及びその両側の側面１０３に跨って当接される屈曲板状の継手基部１１１を備え、側面１０３に当接される継手基部１１１の各面には平面視略Ｔ字状の継手部１１２が形成されている。この継手部１１２は、支柱１００の継手用溝部１０４に摺動自在に嵌合されている。また、継手基部１１１の固定面１０５には、六角穴付きボルト１０８を挿通するためのボルト挿通孔１１３が形成されている。このような構成により、継手部材１１０は次のように固定されている。すなわち、支柱１００の継手用溝部１０４に平面視略Ｔ字状の継手部１１２が嵌合され、前述の複数のボルト挿通孔１０８ｂのうちから選択されたものに対しナット１０８ａ及びボルト挿通孔１１３が芯合わせされる。そして、ボルト挿通孔１１３及びボルト挿通孔１０８ｂに対し六角穴付きボルト１０８が挿通されて、ナット１０８ａに対して締結されることにより、継手部材１１０が支柱１００における所定の高さ位置に固定される。
【０００７】
また、継手基部１１１の横フレーム側の面には横フレーム１２０内に挿入される二分割構造の継手挿入部１１４が形成され、縦フレーム側の面には縦フレーム１３０内に挿入される二分割構造の継手挿入部１１５が形成されている。また、これら継手挿入部１１４、１１５の内側の面には係合部１１６，１１７が形成されている。
【０００８】
横フレーム１２０は、図１２に示すように、中空形状とされた略方形筒断面形状に形成され、ベースフレーム１４０を左右方向の任意の位置においてタッピングねじ止め可能とするために、上面にボス部（図示省略）をスライド自在の支持するガイド溝部１２１が形成されている。また、ガイド溝部１２１の下方に仕切壁部１２２が形成されている。一方、縦フレーム１３０は、図１２に示すように、中空形状とされた略方形筒断面形状に形成され、横フレーム１２０の全体の断面形状（仕切壁部１２２を省略した断面形状）と略同一に形成されている。そして、図１３に示すように、横フレーム１２０及び縦フレーム１３０の端部には、前述の継手挿入部１１４，１１５が挿入されたときに、継手挿入部１１４，１１５の内側の面の係合部１１６，１１７に係合する係止片部１２４，１３１が形成されている。したがって、横フレーム１２０及び縦フレーム１３０は、これら端部に継手挿入部１１４，１１５が挿入されることにより、係合部１１６，１１７が係止片部１２４、１３１に係合されて、継手部材１１０に取り付けられる構造となっている。
【特許文献１】特開２００５−２９９９５３号公報
【発明の開示】
【発明が解決しようとする課題】
【０００９】
上記のように、特許文献１に記載のエアコン置台では、横フレーム１２０及び縦フレーム１３０を支柱１００に連結するための継手部材（コーナブラケット）１１０が支柱１００の固定面１０５に対し六角穴付きボルト１０８により固定される構造となっている。このため、支柱１００のボルト挿通孔１０８ｂ及び継手部材１１０のボルト挿通孔１１３周りが変形し、エアコン置台が変形し易くなる恐れがあった。特に、最近のようにアルミニウム又はアルミニウム合金製の押出型材が用いられるものにおいては強度的に問題があった。また、六角穴付きボルト１０８に締結されるナット１０８ａがホルダ体１０７に保持された状態でスライド式に挿入されるとともに、エアコン置台のコーナ部の内側からボルト１０８を締めしなければならないため組立作業が面倒であった。また、この継手部材１１０を固定する構造や、横フレーム１２０及び縦フレーム１３０を取り付けるための構造が複雑であり、コストアップの要因となっていた。また、横フレーム１２０及び縦フレーム１３０は、それぞれの端部に継手挿入部１１４，１１５を挿入し、このときに係止片部１２４，１３１が係合部１１６，１１７に係合する構造であるため、継手挿入部１１４，１１５の周囲のクリアランスによるがたつきを避けることが困難であった。
【００１０】
本発明は、このような背景に基づきなされたものであって、デザイン上のニーズ等の何らかの理由により支柱が略方形筒断面形状に形成されたエアコン置台の改良に係り、支柱に固定されるコーナブラケットの取付部の強度向上、組立作業性の向上及びコスト低減を図ったエアコン置台を提供することを目的とする。
【課題を解決するための手段】
【００１１】
本発明に係るエアコン置台は、このような課題を解決するものであって、略方形筒断面状の支柱と、この支柱に対し高さ方向に沿ってスライド自在に取り付けられるコーナブラケットと、コーナブラケットの左右方向内向きに突出する支持部に取り付けられる横フレームと、コーナブラケットの前後方向内向きに突出する支持部に取り付けられる縦フレームとを備えたエアコン置台であって、前記コーナブラケットは、支柱をスライド自在に挿入するようにその内面の断面形状が支柱の外面の断面形状に略一致するように形成された所定高さの環状壁部を有し、この環状壁部及び前記支柱は、エアコン置台の外側面を成す二つの外側の壁部と、この外側面から内向きに延びる二つの内側の壁部と、二つの外側の壁部が交差する角部を連結する曲面状の壁部とを備えた略方形筒断面であり、前記環状壁部は、前記二つの内側の壁部の一方に、高さ方向に所定幅のスリットが形成されたスリット部とこのスリット部の間隔を維持するように対向して略直交状に突出する一対の締結片とが形成されるとともに、この一対の締結片に、一対の締結片間の間隔寸法を狭めるように締め付ける締結部材が架け渡され、この締結部材を締め付けることにより支柱に固定されるように構成され、また、前記一対の締結片は、エアコン置台の横フレーム又は縦フレームを取り付ける一方の支持部に兼用され、前記縦フレーム又は横フレームは、その側壁の内面が前記一対の締結片のうちの外側の締結片の外側壁面に当接されるとともに、この側壁の端面が前記環状壁部の内側の壁部に当接されるように、前記締結片間を締め付ける締結部材により共締めされて前記締結片に取り付けられ、さらに、前記一対の締結辺のうちの前記外側の締結片の突出させる位置が、縦フレーム又は横フレームの側壁の端面が前記外側の壁部と内側の壁部とが連結される角部近傍に当接するように、設定されていることを特徴とする。
【００１２】
このような構成上の特徴を備えた本発明に係るエアコン置台によれば、コーナブラケットは、スリット部において環状壁部の内側の壁部からスリットの間隔を維持して略直交状に突出する一対の対向する締結片を、一対の締結片間の間隔寸法を狭めるように締め付けることにより固定される。このため、コーナブラケットは、環状壁部の内周面と支柱の外周面との間の摩擦力と弾性力を利用して筒状の支柱に対し、所定の高さ位置に強固に取り付けられるので、従来に比し取付ボルト孔部に大きな力が作用することが回避され、取付ボルト孔周りの強度不足が解消される。また、コーナブラケットの取付は、締結片間に架け渡された締結部材を締結するものであるので、作業性が改善される。また、従来のような溝部を筒状の支柱の内部やコーナブラケットの外表面部に形成する必要がなく構造が簡略化されてコストが低減される。
【００１３】
また、前記一対の締結片は、エアコン置台の横フレーム又は縦フレームを取り付ける支持部に兼用されている。したがって、締結片が形成される側には支持部を別個に形成する必要がないので、構造が簡略化され、より一層コスト軽減を図ることができる。
また、前記縦フレーム又は横フレームは、前記締結片間を締め付ける締結部材により共締めされて締結片に取り付けられるので、コーナブラケットを取り付けるための締結部材と、横フレーム又は縦フレームを取り付けるための締結部材とが単一化される。これにより作業性が改善されると共にコスト軽減が行われる。
また、前記環状壁部は、エアコン置台の外側面を成す二つの外側の壁部と、この外側面から内向きに延びる二つの内側の壁部と、二つの外側の壁部が交差する角部を連結する曲面状の壁部とを備えた略方形筒断面形状であるので、前記締結片を締め付けた場合に二つの外側の壁部とこれらを連結する曲面状の壁部とが連続する一つの面をなす壁部のように変形し易くなる。このため、環状壁部による支柱の締付力は、角部が曲面状に形成されない場合に比し大きくなり、締付強度が大きくなる。
また、前記縦フレーム又は横フレームは、その側壁の内面が前記一対の締結片のうちの外側の締結片の外側壁面に当接されるとともにこの側壁の端面が前記環状壁部の内側の壁部に当接されるように取り付けられ、さらに、前記一対の締結辺のうちの前記外側の締結片の突出させる位置が、縦フレーム又は横フレームの側壁の端面が前記外側の壁部と内側の壁部とが連結される角部近傍に当接するように設定されている。したがって、縦フレーム又は横フレームを介して内側の壁部に作用する荷重が環状壁部の内側の壁部と外側の壁部とで支持されるため、環状壁部の内側の壁部に作用する力が減少し、この内側の壁部の変形が抑制される。仮に内側の壁部に変形が生じる場合は、支柱の内側の壁部にも変形が波及することがある。また、このような環状壁部や支柱の内側の壁部に変形が生じると、コーナブラケットの支柱に対する締付力が低下することが考えられるが、本発明によればこのような弊害を抑制することができる。
【００１４】
また、前記一対の締結片のうちの外側の締結片は、その外側壁面が前記外側の壁面の外側面から、縦フレーム又は横フレームの側壁の肉厚に相当する寸法と、前記環状壁部における外側の壁部と内側の壁部との角部のＲに相当する寸法とを加算した寸法に略等しい寸法分内側に位置するように構成されていることが好ましい。このようにすると、縦フレーム又は横フレームにおける側壁を介して前記環状壁部の内側の壁部に作用する力が最小となるので、内側の壁部の変形を最小限に抑制することができ、締付力の低下を最小限に抑制することができる。
【００１５】
また、前記コーナブラケットは、前記環状壁部に、左右内向きに突出する横フレーム取付用の支持部と、前後内向きに突出する前記締結片とを有するとともに、この締結片が縦フレーム取付用の支持部を兼用し、前記縦フレームは、上壁、側壁及び下壁からなる断面コの字状に形成されるとともに、この縦フレームの側壁の内面が前記締結片の外側壁面に当接され、さらに、縦フレームの側壁が前記締結片を締め付けるための締結部材により共締めされて固定されているようにしてもよい。このように構成すると、エアコン置台の側面に締結片を締め付ける締結部材が用いられるので、締結部材が目立ち難くなる。また、縦フレームの取付は、上壁を支持部に載せた状態で行うことができるとともに、縦フレームの内側面から締結部材を操作することができるので、共締めにより行われる締結片の締付作業と縦フレームの取付作業の作業性を向上させることができる。
【００１６】
また、前記横フレームは、左右全長に渡る筒状部を有し、前記支持部はこの筒状部内に差し込まれて取り付けられているようにしてもよい。このようにすると、横フレーム取付時、横フレームの一端が支持部により支持された状態で取付作業を行うことができるので、作業性が良い。
【００１８】
また、前記支持部のうちの前記締結片に兼用されない方の支持部は、この支持部の外側壁面が、前記外側の壁面の外側面から、縦フレーム又は横フレームの側壁の肉厚に相当する寸法と前記環状壁部における外側の壁部と内側の壁部との角部のＲに相当する寸法とを加算した寸法に略等しい寸法分内側に位置し、前記縦フレーム又は横フレームは、その側壁の内面がこの支持部の外側面に当接するとともに、縦フレーム又は横フレームの側壁の端面が前記環状壁部の内側の壁部に当接するように取り付けられていることが好ましい。このようにすると、縦フレーム又は横フレームを介して前記環状壁部の内側の壁部に作用する力が、環状壁部における支持部を形成する壁部と直交する壁部の肉厚部に作用する状態で支持されるので、コーナブラケットにおける支持部を形成する壁部に対する力が減少し、その変形が軽減され、環状壁部の強度が向上する。
【００１９】
また、前記支柱は、左右外側面に上下方向に所定の間隔で形成された位置決め用タッピングねじの下孔又は位置決め用ねじのねじ孔を有し、前記コーナブラケットは、左右外側の壁部に位置決め用タッピングねじ又は位置決め用ねじを貫通させる貫通孔を有するようにしてもよい。このように構成すると、使用する位置決め用ねじ孔を特定することにより、四隅の支柱に取り付けられるコーナブラケットの取付高さ位置を段階的に変更して、その高さ載置を容易に均一にすることができる。
【００２０】
また、このようなコーナブラケットの段階的な位置決めの構成に代えて、コーナブラケットの左右外側の壁部に位置決め用タッピングねじの下孔を設けるようにしてもよい。このように構成すれば、コーナブラケットにタッピングねじをねじ込むことにより、位置決め用タッピングねじの下孔又は位置決め用ねじのねじ孔が設けられていない支柱に対しタッピングねじの先端部をねじ込むことができる。したがって、任意の位置でコーナブラケットを位置決めした後に締結片を締め付けて、コーナブラケットを固定することができる。
【００２１】
また、前記コーナブラケットは、前記支柱に対し高さ方向の複数位置に取り付けられ、前記横フレーム及び縦フレームが複数段に取り付けられているようにしてもよい。このように複数段のエアコン置台に適用する場合、支柱の中間高さ位置にコーナブラケットを取り付ける手間は、支柱の上端にコーナブラケットを取り付ける場合と同様に作業性がよいので、複数段のエアコン置台の組立作業性が向上する。
【００２２】
また、前記支柱の上端部には、支柱の上端端面を覆うキャップが取り付けられ、このキャップは支柱内部に嵌入される嵌入部と、支柱の端面を覆う天面壁部とから構成されているようにしてもよい。この場合、支柱は単純な筒状部材に形成されているので、このキャップの嵌入部の構造が簡略化される。
【００２３】
また、前記支柱、コーナブラケット、横フレーム及び縦フレームは、アルミニウム又はアルミニウム合金製の押出成型された型材から形成され、基本形状が押出方向に同一断面形状となるように形成されていることが好ましい。このように構成することにより、コスト軽減及び軽量化を図るとともに外観の見栄えを向上させることができる。
【発明の効果】
【００２４】
本発明に係るエアコン置台によれば、コーナブラケットは、環状壁部の内周面と支柱の外周面との間の摩擦力と弾性力を利用して筒状の支柱に対し、所定の高さ位置に強固に取り付けられるので、従来に比し取付ボルト孔部に大きな力が作用することが回避され、取付ボルト孔回りの強度不足が解消される。また、コーナブラケットの取付は、締結片間に架け渡された締結部材を締結するものであるので、作業性が改善される。また、従来のような溝部を筒状の支柱の内部やコーナブラケットの外表面部に形成する必要がなく構造が簡略化されるとともにコストが低減される。また、コーナブラケットは、支柱を締め付ける環状壁部における二つの外側の壁部が曲面状の壁部により連結されているので、二つの外側の壁部及び曲面状の壁部が連続する一面の壁部のように変形するため、締付強度が大きくなる。また、前記一対の締結辺のうちの前記外側の締結片の突出させる位置が、この締結片に取り付けられる縦フレーム又は横フレームの側壁の端面が外側の壁部と内側の壁部とが連結される角部近傍に当接するように設定されているため、縦フレーム又は横フレームを介して環状壁部に作用する荷重が環状壁部の内側の壁部と外側の壁部とで支持される。これにより、環状壁部における内側の壁部の変形や支柱における内側の壁部の変形が抑制されるため、コーナブラケットの支柱に対する締付力の低下が抑制され当初の締付力が維持される。
【発明を実施するための最良の形態】
【００２５】
以下、本発明を具体化した実施の形態に係るエアコン置台について図面を参照しながら説明する。なお、本明細書において左右、手前などの方向をいうときは、図１に示したエアコン置台における斜め左前を正面とした方向をいうものとする。
【００２６】
このエアコン置台は、図１の斜視図に示すように、平置台であって、四隅に立設された４本の支柱１０に対しコーナブラケット２０が取り付けられ、このコーナブラケット２０に対し前後一対の長尺の横フレーム４０と左右一対の短尺の縦フレーム５０とが組み付けられている。また、前後一対の横フレーム４０間にはエアコンを載置するための一対のベースフレーム６０が所定の間隔で平行に配置されて架け渡されている。また、支柱１０の下部には設置面の状況に応じてエアコン置台を水平に維持するためのアジャスタ７０が取り付けられている。
【００２７】
支柱１０は、図２に示すように略方形筒断面形状に形成されている。より詳しくは、図２に図示するように、外側の二つの壁部１１，１２の交差する角部は所定半径の円弧からなる曲面状の壁部１３に形成され、また、内側の二つの壁部１４，１５の交差する角部は、角部を斜めにカットする平面状の壁部１６に形成されている。また、支柱１０の左右方向の外側面を成す壁部１１には、図１に示すように、コーナブラケット２０の取り付け位置を位置決めするためのタッピングねじ１７の下孔１１ａが適宜に設定された一定の間隔で複数個形成されている。また、支柱１０の下方部の壁部１１，１２，１４，１５には、図３に示すように、アジャスタ７０を取り付けるための十字穴付六角ボルト７１を左右方向に挿通させるためのボルト挿通孔１８がそれぞれ形成されている。ボルト挿通孔１８は、支柱１０の左右の壁部１１，１４のみならず前後の壁部１２，１５にも形成されているが、このようにボルト挿通孔１８を前後左右の壁部１１，１２，１４，１５に形成するのは、ボルト挿通孔１８に関して左右前後の支柱１０を共通化するためである。
【００２８】
なお、タッピングねじ１７の下孔１１ａは、外観上の見栄えを考慮するとともに、コーナブラケット２０の取り付け方向を間違えることがないようにするために、支柱１０の左右方向の外側面をなす壁部１１にのみに形成されている。したがって、支柱１０は、タッピングねじ１７の下孔１１ａが形成される壁部１１と曲面状の壁部１３との位置関係により、手前側の左右の支柱１０が左右対称的な構成であり、左右に立設される前後の支柱１０が前後対称的な構成とされている。この結果、右前の支柱１０と左後の支柱１０とが同一物であり、左前の支柱１０と右後の支柱１０とが同一物となっている。また、支柱１０は、長手方向（高さ方向）を押出方向とし、基本形状が押出方向に同一断面形状であるアルミニウム又はアルミニウム合金製の型材を使用するものであって、長手方向の断面形状は基本的に同一に形成されている。
【００２９】
また、支柱１０において、十字穴付六角ボルト７１を挿通する内部には、図３に示すように、十字穴付六角ボルト７１の締結時に支柱１０が変形することを防止するための支柱スペーサ１９が挿入されている。支柱スペーサ１９の平面形状は、支柱１０の内部断面形状と略同形に形成されている。ただし、支柱１０の壁部１１と壁部１５との直交角部及び壁部１２と壁部１４との直交角部に対応するコーナ部は、カットされていている。また、このような形状を有する支柱スペーサ１９には、左右方向及び前後方向に十字穴付六角ボルト７１を挿通するための貫通孔１９ａ，１９ｂが十文字状に形成されている。例えば、右前の支柱１０では、図３に図示のように十字穴付六角ボルト７１を貫通孔１９ａに挿通させるように支柱スペーサ１９が挿入され、左前の支柱１０では、十字穴付六角ボルト７１を貫通孔１９ｂに挿通させるように支柱スペーサ１９が挿入される。また、これら貫通孔１９ａ，１９ｂが交差する部分には垂直方向に孔１９ｃが形成されているが、これは重量軽減のために設けられたものである。
【００３０】
コーナブラケット２０は、図４に示すように、支柱１０より厚肉の部材に形成されたものであって、支柱１０をスライド自在に挿入する所定高さの環状壁部２０Ａを基部としている。この環状壁部２０Ａは、内面の断面形状が支柱１０の外面の断面形状に略一致するように形成されている。すなわち、環状壁部２０Ａは、図５の平面図に示すように、外側の二つの壁部２１，２２、二つの壁部２１，２２が交差する位置に形成された所定半径の円弧からなる曲面状の壁部２３、内側の二つの壁部２４，２５、内側の二つの壁部２４，２５が交差する位置に形成された平面状の壁部２６を備えている。そして、前後方向の内側の壁部２５には、高さ方向の所定幅のスリットを有するスリット部２７が形成され、スリット部２７には、環状壁部２０Ａの壁面からスリット間隔を維持して略直交状に突出する一対の対向する締結片２８が形成されている。また、締結片２８の高さ方向中心位置には、図２に示すように、締結部材としてのボルト２９を締結片２８間に架け渡すようにするためのボルト孔２８ａが１個形成されている。
【００３１】
また、コーナブラケット２０は、図２及び図４に示すように、ボルト２９に座金２９ａ，２９ｂを介してナット２９ｃを締結することにより、締結片２８間の間隔を狭めるように環状壁部２０Ａが締め付けられる。そして、このように環状壁部２０Ａが締め付けられることにより、環状壁部２０Ａの内面と支柱１０の外周面との間に摩擦力と弾性力が作用して、コーナブラケット２０が支柱１０に取り付けられる。
【００３２】
なお、一対の対向する締結片２８は、後述する縦フレーム５０を取り付けるための支持部を兼ねている。また、この締結片２８間の間隔を狭めるように締結されるボルト２９は、後述するように縦フレーム５０の側壁５２を共締めすように締結される。
【００３３】
また、環状壁部２０Ａにおける左右方向外側の壁部２１の高さ方向中心位置には、位置決め用のタッピングねじ１７用の貫通孔２１ａが形成されている。したがって、上記のようにボルト２９により環状壁部２０Ａを締め付ける前に、貫通孔２１ａを通してタッピングねじ１７を支柱１０の下孔１１ａにねじ込むことによりコーナブラケット２０を仮止めできる。また、この下孔１１ａの位置を選択することにより、コーナブラケット２０の取付高さ位置を設定することができる。
【００３４】
また、基部としての環状壁部２０Ａにおける左右方向内側の壁部２４には、図２、図４及び図５に示すように、左右内向きに突出する横フレーム取付用の支持部３１が形成されている。支持部３１は、環状壁部２０Ａの壁面から突出する所定高さで所定間隔に形成された一対の対向壁３２とこの対向壁３２の先端部を連結する連結壁３３とにより平面視ループ状に形成されている。また、支持部３１は、図４(ａ)に示すように、前後方向の外形寸法、すなわち、対向壁３２の外側面間の寸法が後述する横フレーム４０における筒状部４１の内側の幅寸法と略同一に形成され、さらに、その高さ寸法が、図４(ｂ)に示すように、横フレーム４０における筒状部４１の高さ寸法と略同一に形成されている。また、一対の対向壁３２の高さ方向中心位置には、図４（ａ）及び（ｂ）に示すように、横フレーム４０をリベット４４で取り付けるための２個のリベット孔３４がそれぞれに形成されている。
【００３５】
また、連結壁３３には、図４（ａ）に示すように、連結壁３３の表面から横方向に突出するように、上下方向のタッピングねじ螺合用の溝部３５が形成されている。また、支持部３１における一対の対向壁３２間には、対向壁３２間のスペースを埋めるスペーサ３６が配設されている。スペーサ３６は、図２及び図７に示すように、正面視瓢箪形であって、対向壁３２間の間隔寸法と略同一の厚さのものであり、前述のリベット孔３４と対向する位置に、リベット４４を貫通させるための貫通孔３７，３８が形成されている。なお、貫通孔３７，３８の端部はリベット４４を挿入し易いようにテーパ状に形成されているとともに、横方向内側の貫通孔３７は半穴状に形成されている。また、このスペーサ３６は、前後方向及び上下方向に対称的に形成されており、四隅に取り付けられるスペーサ３６を同一物としている。また、スペーサ３６の前後面における略中央部には、正面視略四角形の係合突部３９が形成されている。そして、これに対応するように、対向壁３２には係合突部３９を係合させる係合孔３２ａが設けられている。これにより、スペーサ３６を容易に、かつ正確に対向壁３２間に取り付けることができる。また、スペーサ３６を対向壁３２間に介在させることにより、支持部３１及び横フレーム４０の変形を回避しながらリベット４４により横フレーム４０と支持部３１とを結合することができる。
【００３６】
コーナブラケット２０における締結片２８の位置は、次のように設定されている。すなわち、コーナブラケット２０の左右方向の外側面から締結片２８の外側壁面までの寸法ｘ１は、図４（ａ）に示すように、コーナブラケット２０の左右方向の外側面から、縦フレーム５０の側壁５２の肉厚に相当する寸法ｘ２とコーナブラケット２０の角部のＲに相当する寸法ｘ３とを加算した寸法に略等しい寸法ｘ１に設定されている。
【００３７】
また、コーナブラケット２０における支持部３１の位置は、次のように設定されている。すなわち、コーナブラケット２０の前後方向の外側面から支持部３１の外側壁面までの寸法ｙ１は、図４（ａ）に示すように、コーナブラケット２０の前後方向の外側面から、横フレーム４０の側壁の肉厚に相当する寸法ｙ２とコーナブラケット２０の角部のＲに相当する寸法ｙ３とを加算した寸法に略等しい寸法ｙ１に設定されている。
【００３８】
コーナブラケット２０は、上記のように構成されるものであって上下対称的に形成されている。したがって、このように形成されたコーナブラケット２０は、上下方向を適宜選択することにより四隅の支柱１０に対し同一のものを使用することができる。また、コーナブラケット２０は、長手方向、すなわち高さ方向を押出方向とし、基本形状が押出方向に同一断面形状であるアルミニウム又はアルミニウム合金製の型材を使用するものであって、高さ方向の断面形状は基本的に同一に形成されている。
【００３９】
次に、横フレーム４０は、図２に示すように、方形筒断面形状の筒状部４１と、その上部に形成されたベースフレーム取付用のボルト保持用の溝部４２とから形成されている。筒状部４１は、前述のように、内側の高さ方向の寸法がコーナブラケット２０の支持部３１の高さ、すなわち対向壁３２の高さに略同一に形成され、内側の前後方向の寸法が支持部３１の前後方向の外形寸法、すなわち、対向壁３２の外側面間の寸法に略同一に形成されている。これにより、この筒状部４１内に支持部３１が嵌入されるように形成されている。
【００４０】
また、横フレーム４０は、その端部に支持部３１が挿入されたときに、リベット４４により横フレーム４０を取り付けることができるように、筒状部４１の前後の壁部にリベット孔３４と対向する位置にリベット孔４５がそれぞれ形成されている。このリベット孔４５は、横フレーム４０の端面がコーナブラケット２０の環状壁部２０Ａの外周面に当接するように位置が設定されている。また、この状態において前述の溝部３５に対しタッピングねじ４７をねじ込んで壁部４６をコーナブラケット２０に固定することができるように、筒状部４１の下面を成す壁部４６にはタッピングねじ４７用の貫通孔４８が形成されている（図６参照）。また、この貫通孔４８の左右には、２個の水抜き孔４９が形成されている。横フレーム４０の端部に近いほうの水抜き孔４９は、筒状部４１内における支持部３１内に侵入した雨水等の水抜き用のものであり、他の水抜き孔４９は、横フレーム４０のその他の部分に侵入した雨水等の水抜き用のものである。
【００４１】
溝部４２は、図２に示すように、方形筒断面形状を成し、上面にはスリット４３が形成されている。ベースフレーム６０を取り付けるためのボルト６１は、ねじ部６１ａがスリット４３から上方に突出するようにして、その頭部６１ｂが方形筒内部に挿入されている。なお、この溝部４２の端部においては、ボルト６１の挿入を容易にするために、上面に切欠４２ａが設けられている。
【００４２】
上記構成の横フレーム４０は、左右対称的、かつ前後対称的に形成されている。したがって、前後の横フレーム４０は、同一物とすることができる。また、横フレーム４０は、長手方向（左右方向）を押出方向とし、基本形状が押出方向に同一断面形状であるアルミニウム又はアルミニウム合金製の型材を使用するものであるが、前述の切欠４２ａは、押出成型後にプレス加工されたものである。
【００４３】
縦フレーム５０は、上壁５１、側壁５２及び下壁５３からなるコの字型に形成されるとともに、側壁５２の端部には前述の締結片２８締付用のボルト２９を貫通させるためのボルト孔５２ａが形成されている。このボルト孔５２ａは、縦フレーム５０の端面がコーナブラケット２０の環状壁部２０Ａの外周面に当接するように位置が設定されている。そして、縦フレーム５０は、側壁５２の内面が締結片２８の外面に当接され、さらに、側壁５２が締結片２８を締め付けるための締結部材としてのボルト２９により共締めされて固定されている。
【００４４】
上記のように構成される縦フレーム５０は、前後対称的に構成されているので左右の縦フレーム５０は、同一物でよい。また、縦フレーム５０は、長手方向（前後方向）を押出方向とし、基本形状が押出方向に同一断面形状であるアルミニウム又はアルミニウム合金製の型材を使用するものであって、長手方向の断面形状は基本的に同一に形成されている。
【００４５】
ベースフレーム６０は、図１及び図２に示すように、方形筒断面形状を成し、上面を成す壁部６３に防振ゴム６４を長手方向の任意の位置に取り付け可能とするためのスリット６５が形成されている。防振ゴム６４についての詳細の記述は省略するが、スリット６５を介して上面を成す壁部６３を挟み込むように取り付けられている。なお、このベースフレーム６０の前後の端部における底壁６６には、横フレーム４０の溝部４２内に頭部６１ｂが挿入されているボルト６１のねじ部６１ａを貫通させるための貫通孔６６ａが形成されている。ベースフレーム６０は、この貫通孔６６ａにボルト６１のねじ部６１ａを貫通させ、上方から座金６１ｃを介してナット６２を締結することにより取り付けることができる。なお、エアコンの防振ゴム取付部の寸法に合わせて、ボルト６１の位置を変更してベースフレーム６０の位置及び間隔を変更することができる。また、防振ゴム６４の前後の位置もスリット６５により任意に移動することができる。なお、上面を成す壁部６３の端部は、上述のナット６２の締結を容易にするために切欠６３ａが形成されている。また、壁部６３の前後方向の中央部には、防振ゴム６４の下部を壁部６３の下方に挿入するための挿入穴６３ｂが形成されている。
【００４６】
また、ベースフレーム６０は、左右対称的、かつ前後対称的に形成されている。したがって、左右のベースフレーム６０は、同一物とすることができる。また、ベースフレーム６０は、長手方向（前後方向）を押出方向とし、基本形状が押出方向に同一断面形状であるアルミニウム又はアルミニウム合金製の型材を使用するものであるが、前述の切欠６３ａ、挿入穴６３ｂなどは、押出成型後にプレス加工されたものである。
【００４７】
アジャスタ７０は、図３に図示されるように、設置面に載置される方形状の水平壁部７２と、水平壁部７２の対向する２辺の一端側（図３において前側）には被取付部材である支柱１０を挟み込むように立ち上げられた一対の対向する垂直壁部７３とを備えている。垂直壁部７３上端の前後方向の寸法は、支柱１０の前後方向の寸法と略同一に形成され、水平壁部７２の前後方向の寸法はそれより大きく形成されている。そして、水平壁部７２には、支柱１０の側方となる位置にアンカーボルト（図示せず）を貫通させるためのボルト長孔７２ａが形成されるとともに、下面に前後方向の複数のリブ７４が形成されている。また、垂直壁部７３には十字穴付六角ボルト７１を貫通させるためのボルト長孔７３ａが形成されている。また、垂直壁部７３におけるボルト長孔７２ａ側の端面７３ｂは、下端位置が略ボルト長孔７２ａの略中心線上に至るように斜行している。
【００４８】
また、上記構成のアジャスタ７０は、ボルト長孔７２ａが支柱１０前後方向の内側となるように、支柱１０の下端部を一対の対向する垂直壁部７３間に挟持する。そして、十字穴付六角ボルト７１を左右方向外側となる垂直壁部７３から、座金７１ａ、ボルト長孔７３ａ、支柱１０のボルト挿通孔１８、支柱スペーサ１９の貫通孔１９ａ，１９ｂを介して左右方向内側に貫通させて、座金７１ｂを介してナット７１ｃが締結される。ボルト長孔７３ａは、十字穴付六角ボルト７１の貫通位置を調節することにより、アジャスタ７０の設置面の高さ変化に対応して支柱１０の有効高さを調節するものである。
【００４９】
上記構成のアジャスタ７０は、左右対称的に形成されている。したがって、四隅の支柱１０に取り付けられるアジャスタ７０は同一物とすることができる。また、アジャスタ７０は、長手方向（前後方向）を押出方向とし、押出方向には基本的に同一断面形状を成すアルミニウム又はアルミニウム合金製の型材を使用するものであるが、前述の斜行する端面７３ｂは、押出成型後にプレス加工されたものである。
【００５０】
上記構成において、支柱１０の上部には、図２に示すように、支柱１０の上端面をカバーするための樹脂成型品であるキャップ８０が取り付けられている。キャップ８０は、支柱１０の内部に嵌入される嵌入部８１と、支柱１０の端面を覆う天面壁部８２とから構成されている。なお、嵌入部８１は、弾性的に縮小して支柱１０内に挿入され、弾性的に係合保持されるように複数の切込８１ａが形成されている。
【００５１】
上記のように構成されたエアコン置台は次のようにして組み付けされる。
先ず、エアコンのサイズに合うように所定寸法に形成された上記構成の支柱１０、コーナブラケット２０、横フレーム４０、縦フレーム５０、ベースフレーム６０、アジャスタ７０、その他ボルト等の締結部材を準備する。そして、支柱組合品、横フレーム組合品を作る。
【００５２】
支柱組合品は、支柱１０の下端にアジャスタ７０を取り付けたものである。この場合、右前の支柱組合品と左後の支柱組合品とは向きを代えて使用するだけで、物自体は同一となる。同様に、左前の支柱組合品と右後の支柱組合品とは向きを代えて使用すればよく、物自体は同一である。支柱１０は、図１に示すように、エアコン置台として組み付けされた状態において、左右の外側面を成す壁部１１にコーナブラケット２０の位置決めをするための位置決め用ねじ孔（この実施の形態ではタッピングねじ１７の下孔１１ａ）が存在するとともに、四隅のコーナ部に円弧状の壁部１３が位置するように配設されている。
【００５３】
また、支柱組合品は、図３に示すように、支柱１０の下端部に支柱スペーサ１９を挿入し、さらに、エアコン置台として組み付けされたときに図３に示すようにアジャスタ７０が前後方向内向きとなるように、支柱１０の下端部を一対の対向する垂直壁部７３間を挿入する。そして、十字穴付六角ボルト７１を、左右方向外側となる垂直壁部７３から座金７１ａ、ボルト長孔７３ａ、支柱１０のボルト挿通孔１８、支柱スペーサ１９の貫通孔１９ａ又は１９ｂを介して挿入し、ナット７１ｃを締結することにより仮組み付けされる（図１参照）。なお、メーカ出荷段階においてこのように仮組みされたものを出荷するようにすれば、現地での作業工数を削減することができる。
【００５４】
一方、横フレーム組合品は、横フレーム４０の左右にコーナブラケット２０を取り付けたものである。この場合において、横フレーム４０は、前述のように左右対称的に構成されているので、前後の横フレーム４０は同一である。また、コーナブラケット２０も高さ方向に対称的に形成されているので、四隅の支柱１０に取り付けられるコーナブラケット２０は同一である。したがって、前後の横フレーム組合品は、同一物でよく、エアコン置台として組み付けを行うときに左右反転させればよい。この横フレーム組合品についても、組み付けされたものを出荷するようにすれば、現地での作業工数を削減することができる。
【００５５】
横フレーム４０の左右にコーナブラケット２０を取り付ける際は、図２に示すように、横フレーム４０の端部にコーナブラケット２０の支持部３１を挿入する。このとき左右のコーナブラケット２０は上下反転して挿入することにより、組み付けされたエアコン置台において両コーナブラケット２０の締結片２８がそれぞれ前後方向内向きとなるように挿入することができる。また、支持部３１を挿入する際にはスペーサ３６を挿入するとともに、リベット４４を挿入して貫通孔３７，３８をリベット孔４５に位置合わせし、リベット止めする。さらに、横フレーム４０の端部に挿入された支持部３１に対し、下方のタッピングねじ４７用の貫通孔４８からタッピングねじ４７を挿入し、タッピングねじ螺合用の溝部３５に対しタッピングねじ４７をねじ込み最終的に固定する。
【００５６】
次に、上記のように組み付けされた四隅の支柱組付品を準備し、この支柱組付品に対し横フレーム組付品を取り付ける。この取り付けは、先ず横フレーム組付品の取付高さ位置を設定して位置決め用のタッピングねじ１７の下孔１１ａを選定する。そして、横フレーム４０に取り付けられたコーナブラケット２０の基部を成す環状壁部２０Ａを支柱１０の上部から挿入し、選定された下孔１１ａに対し貫通孔２１ａを介しタッピングねじ１７をねじ込んで、横フレーム組付品を所定の高さ位置に仮止めする。次いで、前後の支柱１０に取り付けられたコーナブラケット２０の締結片２８に対し縦フレーム５０の側壁５２の内面を当接させた状態で、ボルト孔５２ａ、２８ａに対し座金２９ａを介してボルト２９を挿入し、縦フレーム５０の内側の方から座金２９ｂを介してナット２９ｃを締結する。これにより締結片２８のスリット間隔が狭められてコーナブラケット２０の環状壁部２０Ａが締め付けられるとともに、横フレーム組付品が支柱１０に固定され、さらに、締結片２８を支持部として縦フレーム５０が取り付けられる。
【００５７】
また、支柱組付品の所定高さ位置に横フレーム４０及び縦フレーム５０が取り付けられた後、前後の横フレーム４０間にベースフレーム６０が取り付けられる。ベースフレーム６０の左右の位置はエアコンの防振ゴムの取付位置に対応して調節される。この調節は横フレーム４０の溝部４２内に取り付けられるボルト６１の位置をスライドさせて変更することにより調節することができる。また、ベースフレーム６０のスリット６５に取り付けられる防振ゴム６４の前後方向の位置も、スリット６５においてその位置を調節することができる。
【００５８】
以上のようにして組み立てられたエアコン置台は、最終段階においてアジャスタ７０におけるボルト長孔７３ａを貫通する十字穴付六角ボルト７１の高さ方向の位置を調節することにより、設置面の状況に対応して支柱１０の有効高さ方向を調整する。
【００５９】
以上のように構成された本実施の形態に係るエアコン置台によれば次の効果を奏することができる。
（１）コーナブラケット２０は、スリット部２７において環状壁部２０Ａの壁面からスリットの間隔を維持して略直交状に突出する一対の対向する締結片２８を、締結片２８間の間隔寸法を狭めるように締め付けることにより固定される。このため、コーナブラケット２０は、環状壁部２０Ａの内周面と支柱１０の外周面との間の摩擦力と弾性力を利用して筒状の支柱１０に対し、所定の高さ位置に強固に取り付けられるので、従来に比し取付ボルト孔部に大きな力が作用することが回避され、取付ボルト孔周りの強度不足が解消される。
【００６０】
（２）また、コーナブラケット２０の取付は、締結片２８間に架け渡された締結部材としてのボルト２９を締結するものであるので、組立作業性が改善される。また、従来のような溝部を筒状の支柱の内部やコーナブラケットの外表面部に形成する必要がなく構造が簡略化されてコストが低減される。
【００６１】
（３）また、締結片２８は、前後内向きに突出する支持部として兼用させているので、コーナブラケット２０の締結片２８が形成される側には、支持部を別個に形成する必要がない。したがって、構造が簡略化され、より一層コスト軽減を図ることができる。
【００６２】
（４）締結片２８間に架け渡される締結部材としてのボルト２９は、縦フレーム５０の取り付けと締結片２８間の締め付けとを共用するので、コーナブラケット２０を取り付けるための締結部材と、縦フレーム５０を取り付けるための締結部材とが単一化されるため、より一層作業性が改善されると共にコスト軽減を行うことができる。
【００６３】
（５）このように、ボルト２９により縦フレーム５０の取り付けと締結片２８間の締め付けとが共締め構造に形成されるとともに、エアコン置台の側面で行われるので、締結部材としてのボルトを目立ち難くすることができる。また、このボルト２９の締め付け作業は、縦フレームの内側からナット２９ｃをボルト２９に対し容易に噛み合わせすることができるので、組立作業性が向上する。
【００６４】
（６）縦フレーム５０は、上壁５１、側壁５２及び下壁５３からなる断面コの字状に形成されるとともに上壁５１が支持部３１に載置された状態で行われるので、作業性がよい。
【００６５】
（７）また、横フレーム４０は、左右全長に渡る筒状部４１を有し、この筒状部４１内にコーナブラケット２０の支持部３１が差し込まれて取り付けられので、横フレーム４０の一端が支持部３１により支持された状態で横フレーム４０を取り付けることができ、取付作業が容易になる。
【００６６】
（８）また、支柱１０は、略方形筒断面形状に形成され、締結片２８は、その外側壁面がコーナブラケット２０の左右の外側面から、縦フレーム５０の側壁５２の肉厚に相当する寸法ｘ２とコーナブラケット２０の角部のＲに相当する寸法ｘ３とを加算した寸法に略等しい寸法ｘ１分内側に位置して形成されている。また、縦フレーム５０は、その側壁５２の内面が締結片２８の外側面に当接するとともに、この側壁５２の端面がコーナブラケット２０の環状壁部２０Ａの外周壁面に当接するように取り付けられている。したがって、縦フレーム５０を介してコーナブラケット２０に作用する力が、環状壁部２０Ａにおける締結片２８を形成する壁部２５と直交する壁部２１の肉厚部に作用する状態で支持されるので、コーナブラケット２０における締結片２８を形成する壁部２５に対する力が減少し、その変形が軽減され、環状壁部２０Ａの強度が向上する。
【００６７】
（９）また、この締結片２８の場合と同様に、支持部３１は、その外側壁面がコーナブラケット２０の前後の外側面から横フレーム４０の側壁の肉厚に相当する寸法ｙ２とコーナブラケット２０の角部のＲに相当する寸法ｙ３とを加算した寸法に略等しい寸法ｙ１分内側に位置して形成されている。また、横フレーム４０は、その側壁の内面が支持部３１の外側面に当接するとともに、横フレーム４０の側壁の端面がコーナブラケット２０の外周壁面に当接するように取り付けられている。したがって、横フレーム４０を介してコーナブラケット２０に作用する力が環状壁部２０Ａにおける支持部３１を形成する壁部２４と直交する壁部２２の肉厚部に作用する状態で支持されるので、コーナブラケット２０における支持部３１を形成する壁部２４に対する力が減少し、その変形が軽減され、環状壁部２０Ａの強度が向上する。
【００６８】
（１０）支柱１０は、左右外側面に上下方向に所定の間隔で形成された位置決め用ねじ孔としてタッピングねじ１７の下孔１１ａを有し、コーナブラケット２０は、左右外側面に位置決めねじとしてのタッピングねじ１７を貫通させる貫通孔２１ａを有している。したがって、使用するタッピングねじ１７の下孔１１ａを特定することにより、四隅の支柱１０に取り付けるコーナブラケット２０の取付高さ位置を段階的に変更して、その取付高さ位置を容易に均一にすることができる。
【００６９】
（１１）支柱１０、コーナブラケット２０、横フレーム４０及び縦フレーム５０は、アルミニウム又はアルミニウム合金製の押出成型された型材から形成され、基本形状が押出方向に同一断面形状となるように形成されているので、コスト軽減及び軽量化を図るとともに外観の見栄えを向上させることができる。
（変形例）
以上説明した本実施の形態に係るエアコン置台及びエアコン置台は、一例を示すものであり、本発明の範囲内において適宜変更できるものである。例えば、次のように変形することができる。
【００７０】
（１）上記実施の形態において、横フレーム４０及び縦フレーム５０は上方に１段設けられたものであったが、図８に示すように、上下それぞれに設けた２段としてもよい。また、それ以上の複数段とすることもできる。なお、この場合、支柱１０は長くする必要があり、下方部にも位置決め用ねじ孔としてのタッピングねじ１７の下孔１１ａをする必要があるが、コーナブラケット２０、横フレーム４０、縦フレーム５０等の構成部材は同一でよい。
【００７１】
（２）上記実施の形態において、締結片２８の外側壁面の位置を図９（ａ）、（ｂ）に示すように、前述の寸法ｘ１より大なる寸法ｄとしてもよい。なお、この場合は、環状壁部２０Ａにおける締結片２８を形成する壁部２５と直交する壁部２１の肉厚部で支持することができないので、締結片２８を形成する壁部２５に作用する力が大きくなる懸念がある。
【００７２】
（３）上記実施の形態において、コーナブラケット２０の環状壁部２０Ａの壁面からスリット間隔を維持して略直交状に突出する一対の対向する締結片２８には、縦フレーム５０の取付及び締結片２８の締付を共締め処理するボルト孔２８ａが１個のみ設けられていた。しかし、このように１個にすることに拘泥されるものではなく、図１０に示すように、締結片２８の突出長さを大きくしてボルト孔２８ａの個数を複数にしてもよい。
【００７３】
（４）上記実施の形態において、一対の締結片２８と支持部３１の取り付けを交換させるようにしてもよい。すなわち、一対の締結片２８を環状壁部２０Ａから左右方向内側に締結片を突出させ、これを支持部として横フレーム４０を取り付ける一方、支持部３１を環状壁部２０Ａから左右方向内側に締結片２８を突出させ、この支持部３１に対し縦フレーム５０を取り付けるようにしてもよい。
【００７４】
（５）コーナブラケット２０の位置決め用ねじとしてタッピングねじ１７を用いているが、通常のねじとし、下孔１１ａを通常のねじ孔としてもよい。
（６）上記実施の形態においてエアコン置台は平地用のエアコン置台として組み付けされているが、コーナブラケット２０は支柱１０の高さ方向の任意に位置にスライドさせることができるので、前後左右の支柱１０の有効長さをそれぞれ異ならせることにより傾斜地用に適したエアコン置台とすることもできる。
【００７５】
（７）また、コーナブラケット２０の位置決め手段として、コーナブラケット２０の貫通孔２１ａに代えてタッピングねじ１７の下孔を設け、支柱１０にはタッピングねじ１７の下孔１１ａや通常のねじ孔を設けない構成とすることもできる。この場合は、タッピングねじ１７をこのコーナブラケット２０の下孔にねじ込み、その先端部を孔の無い支柱１０に強制的にねじ込むことによりコーナブラケット２０を位置決めすることができる。このようにすれば、段階的に位置決めする必要がなく左右の支柱１０の高さを任意に設定することができるので、エアコン置台を傾斜地に設置ずるような場合に好適である。
【図面の簡単な説明】
【００７６】
【図１】本発明の実施形態に係るエアコン置台の斜視図である。
【図２】同エアコン置台における右前のコーナブラケット周りの分解斜視図である。
【図３】同エアコン置台における右前のアジャスタ周りの分解斜視図である。
【図４】同エアコン置台における右前のコーナブラケット部の断面図であり、（ａ）は平断面図であり、（ｂ）は（ａ）におけるＡ−Ａ垂直断面図である。
【図５】同エアコン置台におけるコーナブラケットの平面図である。
【図６】同エアコン置台における手前の横フレームの右端部を下方から見た斜視図である。
【図７】同エアコン置台におけるスペーサの斜視図である。
【図８】変形例に係る２段用エアコン置台の斜視図である。
【図９】コーナブラケットの変形例に係り、（ａ）は同コーナブラケットの斜視図であり、（ｂ）は同コーナブラケットを使用した場合のコーナブラケット周りの平断面図である。
【図１０】コーナブラケットの他の変形例についての斜視図である。
【図１１】従来例に係るエアコン置台の斜視図である。
【図１２】同エアコン置台における左後のコーナブラケット周りの分解斜視図である。
【図１３】同コーナブラケット周りの平断面図である。
【符号の説明】
【００７７】
ｘ１、ｘ２、ｘ３、ｙ１、ｙ２、ｙ３…寸法、１０…支柱、１１ａ…（タッピングねじの）下孔、２０…コーナブラケット、２０Ａ…環状壁部、２１…壁部、２１ａ…貫通孔、２７…スリット部、２８…締結片、３１…支持部、４０…横フレーム、４１…筒状部、５０…縦フレーム、５１…上壁、５２…側壁、５３…下壁、８０…キャップ、８１…嵌入部、８２…天面壁部。
【図１】
0004490489.tif 000002
【図２】
0004490489.tif 000003
【図３】
0004490489.tif 000004
【図４】
0004490489.tif 000005
【図５】
0004490489.tif 000006
【図６】
0004490489.tif 000007
【図７】
0004490489.tif 000008
【図８】
0004490489.tif 000009
【図９】
0004490489.tif 000010
【図１０】
0004490489.tif 000011
【図１１】
0004490489.tif 000012
【図１２】
0004490489.tif 000013
【図１３】
0004490489.tif 000014